(57)【特許請求の範囲】
【請求項１】
踏み板にロープ掛けアームが揺動自在に取り付けられ、捕獲動物が前記踏み板を下方に押下することにより、前記ロープ掛けアームが上方へと揺動して前記ロープ掛けアームの外周囲に巻回されたワイヤーロープ手段の先端わさ部が上方へと抜け出て絞り込まれる踏み板組立体と、
前記踏み板組立体を内部に収容して所定位置に載置するために、上方が開口された筒状の収納容器と、
を備えた動物捕獲用罠であって、
前記踏み板組立体が前記収納容器に載置されたとき、前記ワイヤーロープ手段の前記収納容器の側方外方へと取り出された部分を除いて、前記踏み板組立体を構成する部材が前記収納容器から外方へと突出することがなく、
前記収納容器に設置された前記踏み板組立体のぐら付きを防止する踏み板ぐら付き防止手段を有し、
前記踏み板ぐら付き防止手段は、前記踏み板の上面で、且つ、前記ロープ掛けアームの下に近接配置し、前記収納容器に形成された貫通孔に嵌合されたピン様部材を有することを特徴とする動物捕獲用罠。
【請求項２】
前記ピン様部材は、捕獲動物が前記ピン様部材を踏み下方に押下した際には折れるか曲がることにより前記踏み板の下方への落下を可能とする木製ピン又は柔軟な針金であることを特徴とする請求項１に記載の動物捕獲用罠。
【請求項３】
前記収納容器の開口上端縁は、前記開口上端縁より側方外方へと延在して鍔部材が一体に形成された領域を有することを特徴とする請求項１又は２に記載の動物捕獲用罠。
【請求項４】
踏み板にロープ掛けアームが揺動自在に取り付けられ、捕獲動物が前記踏み板を下方に押下することにより、前記ロープ掛けアームが上方へと揺動して前記ロープ掛けアームの外周囲に巻回されたワイヤーロープ手段の先端わさ部が上方へと抜け出て絞り込まれる踏み板組立体と、
前記踏み板組立体を内部に収容して所定位置に載置するために、上方が開口された筒状の収納容器と、
を備えた動物捕獲用罠であって、
前記踏み板組立体が前記収納容器に載置されたとき、前記ワイヤーロープ手段の前記収納容器の側方外方へと取り出された部分を除いて、前記踏み板組立体を構成する部材が前記収納容器から外方へと突出することがなく、
前記収納容器には、前記ワイヤーロープ手段を前記収納容器側方外方へと取り出すために、開口上端縁部から下方に向かって切欠いた切欠き部を形成し、
前記収納容器の前記開口上端縁部には、少なくとも、前記切欠き部を形成した領域に対応する前記開口上端縁部を除いて、前記開口上端縁より側方外方へと延在した鍔部材が一体に形成され、前記切欠き部に対応する前記開口上端縁部には、前記切欠き部を覆ってカバー部材が回動自在に設けられることを特徴とする動物捕獲用罠。
【請求項５】
前記収納容器に設置された前記踏み板組立体のぐら付きを防止する踏み板ぐら付き防止手段を有することを特徴とする請求項４に記載の動物捕獲用罠。
【請求項６】
前記踏み板ぐら付き防止手段は、前記踏み板の上面で、且つ、前記ロープ掛けアームの下に近接配置し、前記収納容器に形成された貫通孔に嵌合されたピン様部材を有することを特徴とする請求項５に記載の動物捕獲用罠。
【請求項７】
前記ピン様部材は、捕獲動物が前記ピン様部材を踏み下方に押下した際には折れるか曲がることにより前記踏み板の下方への落下を可能とする木製ピン又は柔軟な針金であることを特徴とする請求項６に記載の動物捕獲用罠。
【請求項８】
前記ロープ掛けアームは、前記踏み板に揺動自在に取付けられた二つの脚部と、前記脚部の一端を連結する略直線状又は湾曲状とされる連結部とを有した略Ｕ字形状に形成され、前記連結部が、前記収納容器の内側に形成された受け台に載置されることを特徴とする請求項１〜７のいずれかの項に記載の動物捕獲用罠。
【請求項９】
前記連結部は、前記受け台に線接触的に接触して担持されることを特徴とする請求項８に記載の動物捕獲用罠。
【請求項１０】
前記収納容器に設置された前記両ロープ掛けアームの外周囲に巻き付けられた前記ワイヤーロープ先端わさ部の下方に位置して、前記ワイヤーロープ先端わさ部の下方への移動を規制する先端わさ部下方移動規制手段を有することを特徴とする請求項１〜９のいずれかの項に記載の動物捕獲用罠。
【請求項１１】
前記先端わさ部下方移動規制手段は、前記収納容器に形成された貫通孔に嵌合された突起ピン部材を有することを特徴とする請求項１０に記載の動物捕獲用罠。
【請求項１２】
前記収納容器に設置された前記踏み板組立体に所定以上の荷重が掛かったときにのみ前記踏み板を下方へと落下させる体重調整手段を有することを特徴とする請求項１〜１１のいずれかの項に記載の動物捕獲用罠。
【請求項１３】
前記体重調整手段は、前記収納容器に形成された貫通孔に嵌合されたピン部材を有することを特徴とする請求項１２に記載の動物捕獲用罠。
【請求項１４】
前記収納容器は、長手方向壁部材を形成する左、右側板と、幅方向壁部材を形成する前、後側板と、を有した外周壁部材にて横断面が矩形状に形成された箱体とされるか、又は、前記収納容器は、外周壁部材にて横断面が円形状に形成された円筒体とされることを特徴とする請求項１〜１３のいずれかの項に記載の動物捕獲用罠。
【発明の詳細な説明】
【技術分野】
【０００１】
本発明は、例えば、シカやイノシシなどの野生動物を捕獲するための動物捕獲用罠に関し、特に、動物を捕獲する際に、罠に入った動物の脚部を確実に捕獲する括り罠方式の動物捕獲用罠に関するものである。
【背景技術】
【０００２】
近年、野生動物の個体数が急増し、分布が拡大したことに伴い、動物の生態や行動に詳しい狩猟の熟練者のみならず、農林業被害者などの狩猟経験の浅い人も動物を捕獲することの必要が生じてきたことから、購入後直ちに使え、扱いやすく設置にも時間がかからない罠が求められるようになってきており、現在では、例えば特許文献１に記載するような括り罠方式の動物捕獲用罠が広く使用されている。この捕獲用罠の一例の概略構成を、本願添付の図８及び図９を参照して簡単に説明する。
【０００３】
図８に示すように、捕獲用罠１００は、略矩形状とされる踏み板１０４と、踏み板１０４の長手方向（ｘ−ｘ方向）に揺動し得るように支持された対をなす二つのロープ掛けアーム１５１、１５１と、を備えた踏み板組立体１０２を有している。踏み板組立体１０２は、両ロープ掛けアーム１５１、１５１を山形形状に維持した状態にて両ロープ掛けアーム１５１、１５１の外周囲に、ワイヤーロープ手段１７０を構成する捕獲用鋼索（ワイヤーロープ）１７１の一端に形成された先端わさ（輪差）部１７２を巻回し、ワイヤーロープ張りばね１７３により圧縮して縮径力を付与して、載置台１０３に載置される。先端わさ部１７２に接続された捕獲用ワイヤーロープ１７１及びワイヤーロープ張りばね１７３は、載置台１０３に形成した切欠き部１３４を介して外方へと引き出される。
【０００４】
斯かる構成の捕獲用罠１００は、図９（ａ）〜（ｄ）に示すように、所定の場所に浅く穴などを掘って設置される。動物が、このようにして設置された捕獲用罠１００の踏み板１０４を踏むことにより、山形形状に維持されていた両ロープ掛けアーム１５１、１５１は、踏み板１０４より上方に揺動して互いに近接するように移動し、それによって、ワイヤーロープ先端わさ部１７２は、ワイヤーロープ張りばね１７３により踏み板組立体１０２から上方へと抜け出て動物の脚Ｆへと絞り込まれる。
【０００５】
斯かる構成の捕獲用罠１００は、装置全体が小型であり、且つ、薄型とされ、罠を仕掛けるための設置作業が容易であり、狭い場所にも、現状を出来るだけ維持した状態で設置することができると言う利点を有している。
【先行技術文献】
【特許文献】
【０００６】
【特許文献１】実用新案登録第３１６５４４７号公報
【発明の概要】
【発明が解決しようとする課題】
【０００７】
しかしながら、本発明者らが上記構成の括り罠方式の動物捕獲用罠について種々の改良を施しながら研究実験を行った結果、次のような課題を有していることが分かった。
【０００８】
つまり、上記構成の括り罠方式の動物捕獲用罠は、捕獲用罠が作動しても動物が掛からないこと、即ち、「空はじき」が多い、といった課題を有していることが分かった。
【０００９】
「空はじき」が発生した罠は、再設置が必要となり、余分な時間や労力が余儀なくされる。また、効率よく個体数を減らしたい現場などでは、「空はじき」が発生することで、シカやイノシシなどに罠の存在を教え警戒心を与えてしまうために、捕獲が難しくなり、捕獲効率が低下する。更に、農林業作物の被害の現場などでは、「空はじき」が発生して加害個体に警戒心を与えてしまうと、罠を避けて通るようになり被害が深刻化する。
【００１０】
本発明者らの研究実験の結果によると、図１０（ａ）に示すように、踏み板組立体１０２が、踏み板組立体１０２を載置するための載置台１０３の上端縁１０３ａから上方外方へと突出量△Ｈだけ突出していたり、また、踏み板組立体１０２のロープ掛けアーム１５１が載置台１０３より側方外方へと突出量△Ｌだけ突出していたりすると、踏み板組立体１０２が不用意に動物と接触して作動してしまい、捕獲に失敗する場合が頻繁に生じることが分かった。更には、例えば図１０（ｂ）に示すように、踏み板組立体１０２を載置台１０３に設置するときに正確に設置されていないか、或いは、設置後に不注意により罠に接触してずれてしまったりして、踏み板組立体１０２が傾いて載置台１０３に載置された場合などには、捕獲用罠１００が正常には作動せず、捕獲に失敗する。
【００１１】
更には、例え、踏み板組立体１０２が載置台１０３の上端縁１０３ａから突出しておらず、また、正常に設置されていた場合であっても、板状壁部材にて作製されている載置台１０３においては、図１０（ｃ）にて示すように、シカの脚Ｆのひづめ部分ｆ１、ｆ２が載置台１０３の板状壁部材上端１０３ａなどに挟まったり、或いは、図１０（ｂ）に示す切欠き部１３４から引き出されるワイヤーロープ張りばね１７３の部分が上から踏まれることによっても踏み板組立体１０２を押下して、踏み板組立体１０２が不用意に作動して「空はじき」を生じさせる原因ともなっていることが分かった。
【００１２】
そこで、本発明の主たる目的は、捕獲用罠全体が小型であり、且つ、薄型とされ、罠を仕掛けるための設置作業が容易であり、狭い場所にも、現状を出来るだけ維持した状態で設置することができると共に、「空はじき」がなく、作動時の捕獲成功率が高い括り罠方式の動物捕獲用罠を提供することである。
【００１３】
本発明の他の目的は、可搬性に優れ、しかも、罠の操作が簡単であり、短時間にて罠設置作業が可能な動物捕獲用罠を提供することである。
【課題を解決するための手段】
【００１４】
上記諸目的は本発明に係る動物捕獲用罠にて達成される。要約すれば、本発明の一態様によれば、踏み板にロープ掛けアームが揺動自在に取り付けられ、捕獲動物が前記踏み板を下方に押下することにより、前記ロープ掛けアームが上方へと揺動して前記ロープ掛けアームの外周囲に巻回されたワイヤーロープ手段の先端わさ部が上方へと抜け出て絞り込まれる踏み板組立体と、
前記踏み板組立体を内部に収容して所定位置に載置するために、上方が開口された筒状の収納容器と、
を備えた動物捕獲用罠であって、
前記踏み板組立体が前記収納容器に載置されたとき、前記ワイヤーロープ手段の前記収納容器の側方外方へと取り出された部分を除いて、前記踏み板組立体を構成する部材が前記収納容器から外方へと突出することがなく、
前記収納容器に設置された前記踏み板組立体のぐら付きを防止する踏み板ぐら付き防止手段を有し、
前記踏み板ぐら付き防止手段は、前記踏み板の上面で、且つ、前記ロープ掛けアームの下に近接配置し、前記収納容器に形成された貫通孔に嵌合されたピン様部材を有することを特徴とする動物捕獲用罠が提供される。一実施態様によれば、前記ピン様部材は、捕獲動物が前記ピン様部材を踏み下方に押下した際には折れるか曲がることにより前記踏み板の下方への落下を可能とする木製ピン又は柔軟な針金である。他の実施態様によれば、前記収納容器の開口上端縁は、前記開口上端縁より側方外方へと延在して鍔部材が一体に形成された領域を有する。
本発明の他の態様によれば、踏み板にロープ掛けアームが揺動自在に取り付けられ、捕獲動物が前記踏み板を下方に押下することにより、前記ロープ掛けアームが上方へと揺動して前記ロープ掛けアームの外周囲に巻回されたワイヤーロープ手段の先端わさ部が上方へと抜け出て絞り込まれる踏み板組立体と、
前記踏み板組立体を内部に収容して所定位置に載置するために、上方が開口された筒状の収納容器と、
を備えた動物捕獲用罠であって、
前記踏み板組立体が前記収納容器に載置されたとき、前記ワイヤーロープ手段の前記収納容器の側方外方へと取り出された部分を除いて、前記踏み板組立体を構成する部材が前記収納容器から外方へと突出することがなく、
前記収納容器には、前記ワイヤーロープ手段を前記収納容器側方外方へと取り出すために、開口上端縁部から下方に向かって切欠いた切欠き部を形成し、
前記収納容器の前記開口上端縁部には、少なくとも、前記切欠き部を形成した領域に対応する前記開口上端縁部を除いて、前記開口上端縁より側方外方へと延在した鍔部材が一体に形成され、前記切欠き部に対応する前記開口上端縁部には、前記切欠き部を覆ってカバー部材が回動自在に設けられることを特徴とする動物捕獲用罠が提供される。一実施態様によれば、前記収納容器に設置された前記踏み板組立体のぐら付きを防止する踏み板ぐら付き防止手段を有する。他の実施態様によれば、前記踏み板ぐら付き防止手段は、前記踏み板の上面で、且つ、前記ロープ掛けアームの下に近接配置し、前記収納容器に形成された貫通孔に嵌合されたピン様部材を有する。他の実施態様によれば、前記ピン様部材は、捕獲動物が前記ピン様部材を踏み下方に押下した際には折れるか曲がることにより前記踏み板の下方への落下を可能とする木製ピン又は柔軟な針金である。
【００１５】
本発明にて他の実施態様によれば、前記ロープ掛けアームは、前記踏み板に揺動自在に取付けられた二つの脚部と、前記脚部の一端を連結する略直線状又は湾曲状とされる連結部とを有した略Ｕ字形状に形成され、前記連結部が、前記収納容器の内側に形成された受け台に載置される。好ましくは、前記連結部は、前記受け台に線接触的に接触して担持される。
【００１９】
本発明にて他の実施態様によれば、前記収納容器に設置された前記両ロープ掛けアームの外周囲に巻き付けられた前記ワイヤーロープ先端わさ部の下方に位置して、前記ワイヤーロープ先端わさ部の下方への移動を規制する先端わさ部下方移動規制手段を有する。好ましくは、前記先端わさ部下方移動規制手段は、前記収納容器に形成された貫通孔に嵌合された突起ピン部材を有する。
【００２０】
本発明にて他の実施態様によれば、前記収納容器に設置された前記踏み板組立体に所定以上の荷重が掛かったときにのみ前記踏み板を下方へと落下させる体重調整手段を有する。好ましくは、前記体重調整手段は、前記収納容器に形成された貫通孔に嵌合されたピン部材を有する。
【００２１】
本発明にて他の実施態様によれば、前記収納容器は、長手方向壁部材を形成する左、右側板と、幅方向壁部材を形成する前、後側板と、を有した外周壁部材にて横断面が矩形状に形成された箱体とされるか、又は、前記収納容器は、外周壁部材にて横断面が円形状に形成された円筒体とされる。
【発明の効果】
【００２２】
本発明の動物捕獲用罠は、
（１）「空はじき」の発生を著しく低下させ、罠が作動しても捕獲できないといった取り逃がしがなくなり、罠作動時の捕獲成功率が高くなる。
（２）狩猟免許が必要な作業である罠を再設置する時間や労力が必要なくなり、作業効率が高まる。
（３）農林業作物の被害の現場などでは、加害固体に警戒心を与えてしまうことなく効率的に取り除くことが可能となり、被害軽減効果が高まる。更には、
（４）装置全体が小型であり、且つ、薄型とされ、罠を仕掛けるための設置作業が容易であり、狭い場所にも、現状を出来るだけ維持した状態で設置することができる。
（５）可搬性に優れ、しかも、罠の操作が簡単であり、短時間にて罠設置作業が可能である。
といった特長を有している。
【図面の簡単な説明】
【００２３】
【図１】本発明に係る動物捕獲用罠の一実施例の概略構成を示す斜視図である。
【図２】踏み板組立体の一実施例の斜視図である。
【図３】収納容器の一実施例の斜視図である。
【図４】図４（ａ）は、図２に示す踏み板組立体の正面図であり、図４（ｂ）は、図１に示す動物捕獲用罠の線Ａ−Ａに取った中央縦断面図であり、図４（ｃ）は、図１に示す動物捕獲用罠の左側板を外した略線Ｂ−Ｂに取った横断面図である。
【図５】図５（ａ）は、体重調整手段の一実施例を説明する断面図であり、図５（ｂ）は、踏み板ぐら付き防止手段の一実施例を説明する断面図であり、図５（ｃ）は、先端わさ部下方移動規制手段の一実施例を説明する断面図である。
【図６】図１に示す動物捕獲用罠の動作を説明する図である。
【図７】図７（ａ）は、本発明に係る動物捕獲用罠の他の実施例の概略構成を示す斜視図であり、図７（ｂ）は、図７（ａ）の動物捕獲用罠に使用する踏み板組立体の一実施例の斜視図であり、図７（ｃ）は、図７（ａ）の動物捕獲用罠に使用する収納容器の一実施例の斜視図である。
【図８】従来の動物捕獲用罠の一例を示す斜視図である。
【図９】図９（ａ）〜（ｄ）は、従来の動物捕獲用罠の動作を説明する図である。
【図１０】図１０（ａ）〜（ｃ）は、従来の動物捕獲用罠の課題を説明するための図である。
【発明を実施するための形態】
【００２４】
以下、本発明に係る動物捕獲用罠を図面に則して更に詳しく説明する。
【００２５】
実施例１
図１に、本発明に係る動物捕獲用罠１の一実施例の全体構成を示す。本実施例によると、動物捕獲用罠１は、全体形状が矩形状とされる長手方向が幅方向より長くされた踏み板組立体（「上皿」と呼ぶこともある。）２と、この踏み板組立体２を収納し、着脱自在に担持するための、上方が開口された角形筒状の、即ち、横断面形状が矩形状とされ、長手方向が幅方向より長くされた所定高さを有した箱体とされる収納容器（「下皿」と呼ぶこともある。）３とを有する。
【００２６】
以下の説明では、踏み板組立体２及び収納容器３は、長さ寸法がより大きくされた方向（図１にてｘ−ｘ方向）を長手方向と呼び、長手方向に直交する寸法がより小さくされた方向（図１にてｙ−ｙ方向）を幅方向と呼ぶ。
【００２７】
（踏み板組立体）
上皿としての踏み板組立体２は、図２をも参照するとより良く理解されるように、概略矩形状とされる踏み板４と、この踏み板４に揺動自在に取り付けられた対をなすワイヤーガイドとしての二つのロープ掛けアーム５（５Ａ、５Ｂ）とを備えている。踏み板４及びロープ掛けアーム５（５Ａ、５Ｂ）は、軽量化のために、本実施例では、例えば、厚さ１〜２ｍｍのアルミ材などの薄板状の軽量金属板材にて作製される。勿論、所望により、他の金属、木材、プラスチックなども使用可能である。
【００２８】
踏み板４は、概略矩形状をした平板状の踏み板基台部４０と、この基台部４０の幅方向（ｙ−ｙ方向）の両側部に設けられ、上方に垂直に突出した一対の支持板部４１（４１Ａ、４１Ｂ）とを有している。支持板部４１Ａ、４１Ｂは、踏み板４の幅方向（ｙ−ｙ方向）に所定の距離だけ離間して形成されている。本実施例では、支持板部４１は、板金加工により踏み板基台部４０の両側部を上方へと折り曲げて、この基台部４０より上方へと一体に突出して作製される。
【００２９】
各ロープ掛けアーム５（５Ａ、５Ｂ）は、本実施例では、厚さ１〜２ｍｍ、幅１０ｍｍ程度に切断された薄板帯状の軽量金属板材を板金加工により略Ｕ字形状に成形して作製され、互いに平行な脚部５１、５１と、本実施例では直線状とされる両脚部５１の一端５１ａを連結した略直線状の連結部５２とを有している。脚部５１と連結部５２との接続部５２ａは円弧状とされるが、本実施例では、円弧状部５２ａの半径Ｒは小さくされ、通常、５〜１０ｍｍ程度とされる。従って、本実施例の説明では、この接続部５２ａをも含めて略直線状の連結部５２というものとする。
【００３０】
二つのロープ掛けアーム５Ａ、５Ｂは同じ形状、寸法とされる。脚部（５１、５１）の連結部５２とは反対側の端部５１ｂは、踏み板４の支持板部４１（４１Ａ、４１Ｂ）の基台部４０より所定高さ位置に設けられた支持軸５０にて支持板部４１（４１Ａ、４１Ｂ）に揺動自在に取付けられる。従って、各ロープ掛けアーム５（５Ａ、５Ｂ）は、踏み板基台部４０の上面より上方に位置した支持軸５０の回りに略１８０度回転することができる。
【００３１】
なお、説明を容易とするために、各ロープ掛けアーム５（５Ａ、５Ｂ）を支持軸５０の回りに互いに離間する方向（図２にて矢印Ａ方向）へと、即ち、踏み板４の長手方向（ｘ−ｘ方向）両端側へと揺動することを「外方へと揺動」するといい、逆に対向する方向（図２にて矢印Ｂ方向）へと、即ち、踏み板基台部４０の長手方向（ｘ−ｘ方向）中心部へと揺動することを「内方へと揺動」する、というものとする。また、これら踏み板４の長手方向に沿った矢印Ａ方向及びＢ方向への揺動を「揺動方向」ということもある。
【００３２】
なお、ロープ掛けアーム５（５Ａ、５Ｂ）は、詳しくは後述するが、ロープ掛けアーム５（５Ａ、５Ｂ）が互いに離間するように外方（図２にて矢印Ａ方向）に揺動して踏み板４上へと位置された時、脚部５１及び連結部５２の外周囲にはワイヤーロープ手段７０のワイヤーロープ７１の先端わさ部７２が掛け回される。従って、ロープ掛けアーム５（５Ａ、５Ｂ）の外周囲には脚部５１及び連結部５２の全周囲或いは一部には、ロープ先端わさ部７２を一時的に確実に保持し、ロープ先端わさ部７２が不用意にロープ掛けアーム５（５Ａ、５Ｂ）の外周から外れるのを防止するために、外側へと僅かに突出した保持鍔部（フランジ５３及び規制板５４）が形成される。
【００３３】
つまり、脚部５１と、連結部５２の接続部近傍領域から連結部５２の外周囲に亘ってフランジ５３が形成される。また、ロープ掛けアーム５（５Ａ、５Ｂ）の連結部５２の略中央部には、このフランジ５３と対向して、連結部中央部に沿って所定の距離に亘って外方へと僅かに突出して規制板５４が形成される。フランジ５３は、板金加工によりロープ掛けアーム５（５Ａ、５Ｂ）の脚部５１及び連結部５２に対して略直角に外方へと突出して形成される。一方、規制板５４は、板金加工によりロープ掛けアーム連結部５２に対して９０度より大きい角度α（図４（ａ）参照）、例えば、１２０度程度の角度にて外方へと突出して形成される。
【００３４】
尚、図４（ａ）、（ｂ）にて理解されるように、本実施例にて、ロープ掛けアーム５（５Ａ、５Ｂ）の揺動支持軸５０の位置は、平板状の踏み板基台部４０の上面より上方へと移動した位置（Ｈ５０）にあり両ロープ掛けアーム５Ａ、５Ｂを互いに離れる方向へと、即ち、外方（図２にて矢印Ａ方向）へと揺動させて踏み板基台部４０上へと位置させたとき（図４（ａ）の状態）、両ロープ掛けアーム５Ａ、５Ｂは、それぞれ、支持軸５０から踏み板４の長手方向両端側へと低くなるように構成されている。つまり、両ロープ掛けアーム５Ａ、５Ｂは、両ロープ掛けアーム５Ａ、５Ｂのロープ先端わさ部７２が巻回されるアーム外周囲位置、即ち、連結部５２の位置と、支持軸５０とを結ぶ仮想線５５Ａ、５５Ｂが上方に凸状とされる、即ち、山形形状をなすように位置決めされる。
【００３５】
従って、両ロープ掛けアーム５Ａ、５Ｂの外周に掛け回したロープ先端わさ部７２は、ロープ掛けアーム５Ａ、５Ｂの揺動支持軸５０位置より下方に位置することとなる。
【００３６】
つまり、図１、図２、図４（ａ）、（ｂ）を参照するとより良く理解されるように、各ロープ掛けアーム５Ａ、５Ｂは、内方向には互いに近づくように９０度以上回動し得るが、その反対方向には、即ち、外方向には二つのロープ掛けアーム５Ａ、５Ｂのなす角度が１８０°より更に１°〜１０°程度回動した山形状態にて停止するように形成される。つまり、各ロープ掛けアーム５Ａ、５Ｂは、図４（ａ）にて、支持軸５０とロープ先端わさ部７２とを結ぶ両ロープ掛けアーム５Ａ、５Ｂの仮想線５５Ａ、５５Ｂのなす角度θが１８０°より小さく、例えば、１７０°〜１７９°となる山形形状の状態となり、それ以上は回動しないようにされる。角度θは、上記角度に限定されず、罠の仕様等により適宜所要の値に設定される。
【００３７】
本実施例では、踏み板基台部４０の長手方向両端部４０（４０Ａ、４０Ｂ）は、僅かに下方へと曲げられ、突起部４３（４３Ａ、４３Ｂ）が形成されている。
【００３８】
つまり、本実施例では、図２、図４（ａ）、（ｂ）に示すように、踏み板基台部４０は、踏み板４の長手方向の両端部４０Ａ、４０Ｂの幅方向（ｙ−ｙ方向）両側部に、基台部４０と一体に形成された延長部であるフランジ４２、４２を有しており、山形形状をなす両ロープ掛けアーム５Ａ、５Ｂが更に回転して踏み板４の面より下方へと移動するのを阻止するための規制部材として機能する。本実施例では、図示されるように、ロープ掛けアーム５Ａ、５Ｂが、踏み板基台部４０の長手方向におけるフランジ４２の端面に形成した突起部４３（４３Ａ、４３Ｂ）の端縁上面に突き当たることによって規制されている。従って、各ロープ掛けアーム５Ａ、５Ｂは、それぞれの連結部５２が、各ロープ掛けアーム５Ａ、５Ｂのなす角度θが１８０°より更に１°〜１０°程度小さくなるように回動した状態にてフランジ４２、即ち、突起部４３（４３Ａ、４３Ｂ）の上端縁に当接して停止する。
【００３９】
また、本実施例によると、踏み板基台部４０の上表面に、表面が凹凸形状とされた凹凸部材４４を貼り付け、この凹凸部材４４及び踏み板基台部４０を貫通して、略中央部に二つの小さな開口部４５が形成されている。凹凸部材４４としては、例えば、住友スリーエム株式会社より販売されているすべり止めテープなどを使用することができ、開口部４５の直径としては、限定されるものではないが、２０〜３０ｍｍ程度とし得る。この構成により、動物の足が踏み板組立体２の踏み板４を踏んだとき、滑りをなくし、踏み板４を確実に踏み付けることができる。
【００４０】
勿論、踏み板基台部４０に凹凸部材４４を貼り付ける代わりに、踏み板基台部４０に直径が５ｃｍ〜８ｃｍ程度の開口部を形成し、基台部４０の上面に０．５ｃｍ×０．５ｃｍ〜２ｃｍ×２ｃｍ程度の目部（メッシュ）を有する網部材を取付けることも可能である。
【００４１】
（収納容器）
上記構成の上皿としての踏み板組立体２は、図１に示すように、下皿としての収納容器３内に収納されると共に、容器３内に着脱自在に担持される。このとき、上皿の踏み板組立体２は、ワイヤーロープ手段７０の先端わさ部７２に連結したその他の残余部分が収納容器３の側方外方へと引き出されるが、それ以外の踏み板組立体２の構成部材が下皿の収納容器３の上端開口部より上方外方へと、また、側方外方へと突出することはなく、収納容器内の所定位置に設置される。
【００４２】
本実施例にて下皿としての収納容器３は、図３に示すように、上方が開口した矩形の筒状容器、即ち、箱体とされる。本実施例では、厚さ１〜２ｍｍのアルミ材などの薄板状の軽量金属板を板金加工により折り曲げることによって作製される。勿論、所望により、他の金属、木材、プラスチックなども使用可能である。
【００４３】
図３に示すように、本実施例にて収納容器３は、矩形状をした底板３１と、底板３１の上方に延在して形成された外周壁部材３２、即ち、本実施例では、底板３１の長手方向（ｘ−ｘ方向）両端にて底板３１の上方へと垂直に形成した左、右側板３２ａ、３２ｂと、底板３１の幅方向（ｙ−ｙ方向）両端にて底板３１の上方へと垂直に形成した前、後側板３２ｃ、３２ｄと、を有する。図４（ｂ）、（ｃ）を参照すると、通常、収納容器３の内側での長手方向（ｘ−ｘ方向）、幅方向（ｙ−ｙ方向）、及び底板より上方向（高さ方向）のそれぞれの寸法（Ｌ３２、Ｗ３２、及びＨ３２）はＬ３２＝１５〜３０ｃｍ、Ｗ３２＝１０〜２０ｃｍ、及びＨ３２＝５〜７ｃｍとされる。なお、本実施例では、左、右側板３２ａ、３２ｂ、及び、前、後側板３２ｃ、３２ｄは、分離された状態にて図示されているが、一体に接続されていても良いことは当然である。また、本実施例では、収納容器３は、底板３１を有するものとして説明するが、底板３１は省略することもできる。
【００４４】
本実施例では、長手方向両端部に形成した左、右側板３２ａ、３２ｂと、前、後側板３２ｃ、３２ｄは、底板３１からの高さ（Ｈ３２）は同じとされているが、左、右側板３２ａ、３２ｂは、図１、図４（ｃ）に一点鎖線にて示すように、前、後側板３２ｃ、３２ｄより低くても構わない。ただ、本発明では、収納容器３に載置された踏み板組立体２が、収納容器３の左、右側板３２ａ、３２ｂを跨いで載置されることなく完全に収納容器３内に収容されることが確保されることが重要であり、従って、左、右側板３２ａ、３２ｂの高さは、少なくとも、図１、図４（ｃ）にて一点鎖線にて示すように、、収納容器３内に載置された踏み板組立体２のロープ掛けアーム５Ａ、５Ｂの連結部５２を覆う高さ（Ｈ３２’）とされ、本実施例では、連結部５２の規制板５４より高くされる。
【００４５】
なお、収納容器３の少なくとも幅方向手前側の前側板３２ｃには、略中央部に位置して、即ち、収容された踏み板組立体２の二つのロープ掛けアーム５Ａ、５Ｂの支持軸５０、５０の位置に対応して、図１、図２、図３をも参照すると理解されるように、二つのロープ掛けアーム５Ａ、５Ｂにロープ先端わさ部７２を巻き付けた後のワイヤーロープ張りばね７３のリング部７４部分の逃げを作るために、開口上端縁部３Ａから深さ（Ｈ３４）、及び、所定の幅（Ｗ３４）にて切欠き部３４が形成される。通常、幅（Ｗ３４）が８ｃｍ、深さ（Ｈ３４）が３ｃｍ程度とされる。
【００４６】
底板３１には略直径が５〜８ｃｍ程度の円形の開口部（穴）３６を複数個、本実施例では底板３１の略中央部に２個、形成するのが好ましい。これは、重量を軽減するためであり、また、雨水などが溜まることを最小限に抑えるためである。場合によっては、開口部３６は、収納容器３を固定するために使用することも可能である。
【００４７】
ここで、本発明の特徴ある構成の一つによれば、図３に示すように、収納容器３内には、収納容器３を構成する外周壁部材３２の開口上端縁部３Ａから下方の所定位置に、且つ、対向配置して、踏み板組立体２の長手方向（ｘ−ｘ方向）両端部を担持するための受け台６０が設けられる。つまり、本実施例では、収納容器３を構成する左、右側板３２ａ、３２ｂに、水平部材６０ａ及び垂直部材６０ｂからなるアングル状の受け台６０が固定される。受け台６０は、例えば厚さ１〜２ｍｍのアルミ材などの薄板状の軽量金属板を板金加工して作製される。勿論、所望により、他の金属、木材、プラスチックなども使用可能である。
【００４８】
図１、図４（ｂ）に示すように、収納容器３に収容された踏み板組立体２は、受け台６０の水平部材６０ａの上面に、ロープ先端わさ部７２が巻き付けられた後のロープ掛けアーム５Ａ、５Ｂの略直線状の連結部５２領域が載置される。従って、連結部５２領域を十分に担持するために、通常、受け台６０の水平部材６０ａの幅（Ｗ６０）は、８〜１５ｍｍとされる。斯かる構成により本実施例では、略直線状の連結部５２は、受け台６０に線接触的に接触して担持される。踏み板基台部４０が受け台６０、６０により担持されることはない。即ち、図４（ｂ）に示すように、踏み板基台部４０の長手方向の両端面４３Ａ、４３Ｂは、両受け台６０、６０の間の空間部に位置するようにされる。
【００４９】
つまり、図４（ａ）に示すように、踏み板組立体２の踏み板基台部４０の端面、即ち、突起部４３Ａ、４３Ｂから長手方向に突出した突出長さ△Ｌ２は、収納容器３の長手方向両端の左、右側板３２ａ、３２ｂに固定された受け台６０の幅Ｗ６０より大きく（△Ｌ２＞Ｗ６０）される。通常、△Ｌ２−Ｗ６０＝５〜１０ｍｍとされる。また、当然のことに、収納容器３に設けられた両受け台６０、６０の内側間の長さ（Ｌ６０）は、踏み板基台部４０の受け台６０、６０方向の長さ（Ｌ４０）より大とされる。
【００５０】
また、図４（ａ）、（ｂ）に示すように、収納容器３の左、右側板３４、３５の長手方向（ｘ−ｘ方向）内側間の距離（Ｌ３２）は、二つのロープ掛けアーム５Ａ、５Ｂを互いに離れる外方向へと外方に倒し、略水平状態に位置させたとき（図４（ａ）の一点鎖線にて示した状態）の、二つのロープ掛けアーム５Ａ、５Ｂの両連結部５２、５２間の最大長さである距離（Ｌ２）より大とされる。通常、Ｌ３２−Ｌ２＝５〜１０ｍｍとされる。
【００５１】
また、踏み板組立体２の長手方向（ｘ−ｘ方向）に直交する幅方向（ｙ−ｙ方向）の最大の長さ、即ち、本実施例では、図４（ｃ）に示すように、踏み板基台部４０の両フランジ４２、４２間の幅方向（ｙ−ｙ方向）の長さ（Ｗ４０）は、収納容器３の幅方向の前、後側板３２ｃ、３２ｄの幅方向（ｙ−ｙ方向）内側間の距離Ｗ３２より短く（Ｗ４０＜Ｗ３２）とされる。通常、Ｗ３２−Ｗ４０＝５〜１０ｍｍとされる。
【００５２】
本実施例によれば、図１、図４（ｂ）などを参照した上記説明にて理解されるように、踏み板組立体２のロープ先端わさ部７２が巻き付けられた後の二つのロープ掛けアーム５Ａ、５Ｂの連結部５２、５２はほぼ全領域が、左、右側板３２ａ、３２ｂの内側に位置した受け台６０の幅方向（ｙ−ｙ方向）の上面６０ａに線接触的に設置されることとなり、踏み板組立体２を安定して保持することができる。
【００５３】
従来は、図８にて理解されるように、各ロープ掛けアーム１５１は、載置台１０３の左、右側板の上端面に交差するように載置されており、そのため、各ロープ掛けアーム１５１は、各々、２点にて各側板の上端面に支持されていたが、これに対して、本実施例によれば、ロープ掛けアーム５Ａ、５Ｂの略直線状とされる連結部５２は全体が受け台６０に線接触にて担持されている。そのため、本実施例では、例え、動物がロープ掛けアーム５Ａ、５Ｂの連結部５２の端部５２ａ（ロープ掛けアーム５Ａ、５Ｂにおける脚部５１と連結部５２との接続隅部）領域を踏んだとしても、連結部５２は隅部５２ａ領域も又受け台６０に担持されており、従って、「空はじき」や踏み板４がぐら付き、上皿２が下皿３から外れる（再設置が必要となる）ことはない。
【００５４】
また、本発明では、上述したように、踏み板組立体２が収納容器３内に設置されたとき、ロープ掛けアーム５Ａ、５Ｂにロープ先端わさ部７２を巻付けたワイヤーロープ手段７０のワイヤーロープ７１及びワイヤーロープ張りばね７３が切欠き部３４を介して収納容器３から側方外方へと取り出されるが、踏み板組立体２のその他の構成部材が収納容器３から上方、側方の何れの外方へと突出することはない。従って、収納容器３を構成する外周壁部材３２、即ち、本実施例では、左、右側板３２ａ、３２ｂ及び前、後側板３２ｃ、３２ｄは、踏み板板組立体２のが外周壁部材３２の上端縁部３Ａから上方外方、及び、側方外方へと突出しないように形成され、それにより踏み板組立体２は、収納容器３内に完全に収容されるように構成される。つまり、本発明によれば、図４（ｂ）に示すように、収納容器３内に収容された踏み板組立体２は、本実施例では、踏み板基台部４０から上方へと最も高く突出して位置する支持板部材４１（４１Ａ、４１Ｂ）が周壁部材３２、即ち、前、後側板３２ｃ、３２ｄの開口上端縁部３Ａより△Ｈだけ下方に位置して設置されている。通常、△Ｈ＝０〜５ｍｍとされる。また、山形形状に設置されたロープ掛けアーム５Ａ、５Ｂの受け台６０上に載置された連結部５２部分が左、右側板３２ａ、３２ｂから上方及び側方へと外方に突出することはない。従って、上皿の踏み板組立体２は、下皿の収納容器３に完全に収納された状態にて収納容器３内に設置されるので、不正確のまま、即ち、上皿２が下皿３の外側へと突出した状態で、或いは、不注意により設置の際、上皿２を下皿３の短辺壁部、即ち、左側板３２ａ又は右側板３２ｂを跨いで設置し、上皿２が傾斜状態で設置されることはない。従って、下皿３の開口上端縁部３Ａから出ている上皿２を動物が踏んだり、触れたりして「空はじき」や上皿２が下皿３から外れる（再設置が必要となる）ことを防止することができる。つまり、本発明によれば、所定場所に設置された捕獲用罠１が、不用意に動物と接触するか、或いは、不完全状態にて作動してしまい、捕獲に失敗するようなことが大幅に防止される。
【００５５】
上述にて理解されるように、本発明の捕獲用罠１によれば、収納容器３の形状寸法は、容器内に収容した踏み板組立体２が踏み込まれたとき、山形状態にある二つのロープ掛けアーム５Ａ、５Ｂが互いに近づくように内方へと揺動され立ち上がった状態となった場合には、踏み板組立体２の踏み板基台部４０が、即ち、踏み板組立体２全体が収納容器３の内側に落下し得るような寸法形状とされる。
【００５６】
次に、本発明の他の特徴部について説明する。本発明の他の特徴部によれば、収納容器３の開口上端縁部３Ａには、つまり、収納容器３を構成する左、右側板３２ａ、３２ｂ及び前、後側板３２ｃ、３２ｄからなる外周壁部材３２の上端外周縁部３Ａには、全周において、或いは、少なくとも必要とされる領域において、収納容器３の外側へと突出する鍔部材３５が形成される。本実施例では、収納容器３の前、後側板３２ｃ、３２ｄの上端縁部３Ａに鍔部材３５が形成される。つまり、鍔部材３５は、本実施例では、図１、図３に図示するように、前、後側板３２ｃ、３２ｄの上端部を板金加工により外方へと略９０度にて水平方向に折り曲げ加工することにより作製されている。このように鍔部材３５を形成することにより、下皿３の長辺部である前、後側板３２ｃ、３２ｄをシカ、イノシシなどが踏み、側板３２ｃ、３２ｄが２つのひづめの間に丁度入ってしまい、ひづめが下皿３の中に納められた上皿２を下側に押し下げて「空はじき」を生じさせることが防止される。本実施例では、左、右側板３２ａ、３２ｂには、鍔部材３５は形成されていない。この点については後で説明する。
【００５７】
なお、上述したように、前側板３２ｃには切欠き部３４が形成されており、この切欠き部３４を介して、ワイヤーロープ先端わさ部７２のリング部７４及びワイヤーロープ張りばね７３が接続された踏み板組立体２の着脱を可能とするために、可動式の鍔部材、即ち、カバー部材３７が配置される。カバー部材３７は、本実施例では、厚さ１〜２ｍｍのアルミ材などの薄板状の軽量金属材を板金加工することにより作製される。つまり、カバー部材３７は、図１、図３に示すように、前側板３２ｃの鍔部材３５の上面に配置され、切欠き部３４をカバーする平板状の蓋部材３７ａと、この蓋部材３７ａを揺動自在に支持するために蓋部材３７ａから、カバー部材３７を閉じた状態（図１の状態）で下方へと略９０度方向に折り曲げられた細幅の垂直部材３７ｂ、及び、この垂直部材３７ｂの一端側に一体に形成された広幅の支持板部材３７ｃとを有している。支持部材３７ｃは、図４（ｃ）に示すように、スペーサ３７ｄを介して支持軸３７ｅにて前側板３２ｃに回転自在に取付けられている。従って、カバー部材３７は、踏み板組立体２を収納容器３に装着する際には、図３に示すように、支持軸３７ｅを中心として矢印Ｃ方向に回転して開放状態へと開いて、ワイヤーロープ手段７０のワイヤーロープ張りばね７３やリング部７４部分を切欠き部３４へと挿入設置可能とする。一方、踏み板組立体２を収納容器３に装着した後は、矢印Ｃ方向とは反対方向に閉鎖状態へと回転して、図１に示すように、蓋部材３７を鍔部材３５の上面に重ね合わせた状態として切欠き部３４の上方を被覆することができる。斯かる構成により、従来、ワイヤーロープ１７１及びロープ張りばね７３を外に逃がす下皿３の切欠き部３４の上部を動物が踏んだり、触れたりしたときに「空はじき」が生じたり、或いは、上皿２が下皿３から外れる（再設置が必要となる）ことがあったが、このような不具合が防止される。
【００５８】
従来、本発明者らの研究実験の結果によると、図１０（ａ）に示すように、踏み板組立体１０２が、踏み板組立体１０２を載置するための載置台１０３の外側壁部材上端縁１０３ａから上方へと突出量△Ｈだけ突出して設置されたり、更には、図１０（ｂ）に示すように、踏み板組立体１０２を載置台１０３の上端に設置するときに正確に設置されておらず、載置台１０３上で傾いて装着されたりすることが生じることがあった。この場合には、踏み板組立体２が不用意に動物と接触するか、或いは、不完全状態にて作動してしまい、捕獲に失敗する場合があった。また、例え、踏み板組立体１０２が載置台１０３の上端縁１０３ａから突出していない場合であっても、図１０（ｃ）にて示すように、シカの脚Ｆのひづめ部分ｆ１、ｆ２が載置台１０３の外側壁部材上端縁１０３ａに挟まり、これによっても踏み板組立体１０２が不用意に作動して「空はじき」を生じさせる原因ともなっていた。
【００５９】
本発明によれば、収納容器２の上端縁３Ａには鍔部材３５が形成されていることから、シカの脚Ｆのひづめ部分ｆ１、ｆ２が収納容器３の板状壁部材３２、特に、前、後側板３２ｃ、３２ｄに挟まり、これによっても踏み板組立体が不用意に作動して「空はじき」を生じさせることも防止することができる。
【００６０】
本実施例において、例え、シカの脚Ｆのひづめ部分ｆ１、ｆ２が収納容器２の板状壁部材、特に、左、右側板３２ａ、３２ｂに挟まり、踏み板組立体２のロープ掛けアーム５Ａ又は５Ｂの連結部５２を踏み付けたとしても、本実施例では、ロープ掛けアーム５Ａ又は５Ｂの連結部５２は、受け台６０により支持されており、従って、ロープ掛けアーム５Ａ又は５Ｂが下方へと押下され、踏み板組立体２が不用意に作動して「空はじき」を生じさせることはない。そのため、本実施例においては、受け台６０が形成された外周壁部材３２、即ち、左、右側板３２ａ、３２ｂの上端には、必ずしも鍔部材３５を形成する必要はなく、少なくとも、前、後側板３２ｃ、３２ｄに設ければよい。
【００６１】
（体重調整手段）
本発明の動物捕獲用罠１が、例えば、シカ、イノシシといった動物を捕獲することを目的とした場合には、アナグマ、キツネ、タヌキ、ウサギ、イヌ、などの小型動物が誤って捕獲することを防止する必要がある。そのため、本実施例の動物捕獲用罠１は、簡易な体重調整手段を有しており、例え、シカ、イノシシといった動物以外の小型の動物が踏み板組立体２の上に乗ったとしても、踏み板組立体２が下方に落下しないようにした。
【００６２】
本実施例によれば、図１、図３、図４（ｂ）、図５（ａ）などを参照すると、収納容器３に設置された踏み板板組立体２の踏み板基台部４０の下面に位置して体重調整手段６５が設けられている。体重調整手段６５は、好ましくは、収納容器３にて左右、前後方向に対称配置にて設けられ、本実施例では概略矩形状とされる踏み板基台部４０の４隅部に、つまり、フランジ４２の領域に好適に設けられる。体重調整手段６５は、前、後側板３２ｃ、３２ｄに形成した貫通孔６５ｂに挿通された細径の所定の荷重以上で折損容易な体重調整ピン部材６５ａ、例えば、直径１〜３ｍｍ、長さ２０〜５０ｍｍの楊枝のような木製ピンなどを利用することができる。つまり、所定以上の体重の捕獲動物が踏み板基台部４０を踏み、下方に押下したしたときに折れる木製ピンであれば、折れる木製ピンの本数により体重調整をして、小型の動物の錯誤捕獲が回避できる。本実施例では、２本の楊枝６ａが互いに２０〜３０ｍｍ離間して、踏み板基台部４０のフランジ４２の下面に近接して、即ち、下面に接触するか或いは僅かに離間して配置されている。
【００６３】
本発明者らの研究実験の結果によると、本実施例の上記構成の体重調整ピン部材６５ａを用いることにより、シカ、イノシシに比較してより小型のアナグマ、キツネ、タヌキ、ウサギ、イヌ、などを誤って捕獲することを防止し得ることが分かった。
【００６４】
なお、体重調整ピン部材６５ａは、前、後側板３２ｃ、３２ｄに形成した貫通孔６５ｂに水平に安定して保持されることが必要であり、そのため、貫通孔６５ｂは出来るだけ調整ピン部材６５ａとの嵌合長さを長くすることが望ましい。そこで、本実施例では、１〜２ｍｍの薄板にて作製される側板３２ｃ、３２ｄに対して、所謂、バーリング加工を施すことによって、バーリング高さ（ｈ）が２〜４ｍｍの貫通孔６５ｂを得ることができ、良好な結果を得ることができた。
【００６５】
（踏み板ぐら付き防止手段及び先端わさ部下方移動規制手段）
本実施例にて、動物捕獲用罠１は、動物が、収納容器３に設置された踏み板組立体２の踏み板基台部４０を踏んだ際に、踏み板組立体２、即ち、踏み板基台部４０は、設置された状態から速やかに収納容器３内にて下方へと落下し、一方、山形形状に維持されていた両ロープ掛けアーム５Ａ、５Ｂは、踏み板基台部４０より上方に揺動して互いに近接するように移動し、それによって、ワイヤーロープ先端わさ部７２は、ワイヤーロープ張りばね７３により踏み板組立体２から上方へと抜け出て絞り込まれることが必要である。
【００６６】
本発明者らの研究実験の結果によると、踏み板組立体２を収納容器３に装着するときに上皿２が斜めになったり、更には、動物が、収納容器３に設置された踏み板組立体２の踏み板基台部４０を踏んだ際に、例えば、踏み板基台部４０の中央部より偏った一つの隅部領域を踏んだ場合などには、反対側の隅部などが浮き上がり、上皿２が斜めになることがある。つまり、動物が、踏み板基台部４０の隅部を踏んだ時に反対側が浮き上がり、上皿２が斜めになった状態で下方へと下がるとワイヤーロープ７１が上皿２のロープ掛けアーム５Ａ、５Ｂから外れずに下皿３の側板との間に挟まり作動しない等の不具合が生じる。結果として、誤作動を起こし、捕獲に失敗する例が見受けられた。
【００６７】
そこで、本実施例の捕獲用罠１では、図１、図３、図４（ｂ）、図５、などを参照すると、収納容器３に設置された踏み板組立体２の踏み板基台部４０の上面に、且つ、ロープ掛けアーム５Ａ、５Ｂより下に位置して踏み板ぐら付き防止手段６６が配置され、上皿２を下皿３と一体化させている。踏み板ぐら付き防止手段６６は、好ましくは、収納容器３にて左右、前後方向に対称配置にて上記体重調整手段６５に対応した位置に、即ち、本実施例では概略矩形状とされる踏み板基台部４０の４隅部、つまり、フランジ４２の領域に好適に設けられる。踏み板ぐら付き防止手段６６は、踏み板基台部４０のぐらつきを防止し、捕獲動物が踏み板ぐら付き防止手段６６を踏み、下方に押下した際には折れるか曲がるかすることにより踏み板基台部４０の下方への落下を可能とする。例えば、踏み板ぐら付き防止手段６６は、前、後側板３２ｃ、３２ｄに形成した貫通孔６６ｂに挿通された細径のぐら付き防止ピン様部材６６ａ、例えば、直径１〜３ｍｍ、長さ２〜５ｍｍの楊枝のような木製ピンなどを利用することができる。木製ピン６６ａは、上皿２のぐらつきを抑え、ただし、動物が乗ったときは折れ（或いは曲がり）、罠の作動を妨げることがない。ただ、踏み板ぐら付き防止手段６６は、上記体重調整手段６５のピン部材６５ａと異なり、必ずしも折損する必要はないので、０．５〜１ｍｍ程度の細径の柔軟な針金を使用することができる。これら部材６６ａは、収納容器３内に踏み板組立体２を設置した後に貫通孔６６ｂに挿入される。本実施例では、踏み板基台部４０のフランジ４２の上面に近接して、即ち、上面に接触するか、或いは、僅かに離間して、１本の木製ピン（例えば楊枝）を配置することにより、上皿２を下皿３と一体化させることができ、ただし、動物が直接上から踏んでも折れたり曲がることにより踏み板基台部４０を下方へと押し下げるのを妨げることがなく、良好な結果を得ることができた。
【００６８】
なお、踏み板ぐら付き防止ピン様部材６６ａは、前、後側板３２ｃ、３２ｄに形成した貫通孔６６ｂに水平に安定して保持されることが必要であり、そのため、貫通孔６６ｂは出来るだけ踏み板ぐら付き防止ピン様部材６６ａとの嵌合長さは長くすることが望ましい。そこで、本実施例では、１〜２ｍｍの薄板にて作製される側板３２ｃ、３２ｄに、所謂、バーリング加工を施すことによって、バーリング高さ（ｈ）が２〜４ｍｍの貫通孔６６ｂを得ることができ、これにより、ピン様部材６６ａを水平に保持することが可能となり、上皿２の浮き上がり、及び、上皿２が斜めになることを有効に防止することが可能となり、良好な結果を得ることができた。
【００６９】
このように、上記簡単な構成とされる踏み板ぐら付き防止手段６６を設けることにより、罠設置時に加え、動物が上皿２の隅を踏んだときに反対側が浮き上がり、上皿２が斜めになることを抑え、作動時に上皿面がぐらつかず、誤作動を抑えることができた。
【００７０】
更に、本発明者らの研究実験の結果によると、動物が収納容器３に設置された踏み板組立体２の踏み板基台部４０を踏んだ際に、特に、後側板３２ｄ側の先端わさ部７２が踏み板基台部４０の落下により踏み板基台部４０と共に下方へと引きずられて移動し、先端わさ部７２の踏み板組立体２からの解放が若干遅れることがあることが分かった。そのため、罠を動物の脚Ｆの高い位置に掛けることができず、捕獲に失敗することがあった。
【００７１】
従って、本実施例では、図３、図４（ｂ）、図５（ｃ）に示すように、この先端わさ部７２への下方への移動を阻止するために、後側板３２ｄの長手方向略中央部において、且つ、収納容器３に設置された踏み板組立体２の外周囲に巻回された先端わさ部７２の下方に近接して、即ち、先端わさ部７２の下面に接触、或いは、僅かに離間して、先端わさ部下方移動規制手段６７が配置される。本実施例では、先端わさ部下方移動規制手段６７は、突起ピン部材６７ａとされ、後側板３２ｄに形成した貫通孔６７ｂに固定される。本実施例にて、突起ピン部材６７ａは、頭部６７ａ１と軸部６７ａ２を備えた柱状ピンとされるが、突起ピン部材６７ａの側板３２ｄからの長さ（Ｌ６７）は、収納容器３に設置された踏み板組立体２の外周囲に巻回された先端わさ部７２の下方移動を規制するものであって、踏み板基台部４０が収納容器下方へと落下するのを防止しない長さとされる。突起ピン部材６７ａを設けることにより、突起ピン部材６７ａが無い場合に比較すると早く罠を作動させ、動物の脚のより高い位置に掛けることができる。そのため、動物が罠を踏み込んだ時にワイヤーロープ７１だけが掛かり、それ以上踏み板組立体２と一緒に下がらないようになる。
【００７２】
後側板３２ｄに形成される貫通孔６７ｂは、１〜２ｍｍの薄板にて作製される側板３２ｄに、所謂、バーリング加工を施すことによって、バーリング高さ（ｈ）が２〜４ｍｍとされる貫通孔６７ｂを得ることができ、突起ピン部材６７ａを嵌合させることができる。又は、貫通孔６７ａの内面にネジ加工を施し、突起ピン部材６７ａとしてネジを使用して、螺合させることもできる。
【００７３】
このように、先端わさ部下方移動規制手段６７を設けることにより、動物が踏み板組立体２の踏み板基台部４０を踏んだ際に時間遅れをなくして、先端わさ部７２をより早くロープ掛けアーム５Ａ、５Ｂから上方へと抜け出させて罠が作動することを可能とする。これにより、動物の脚のより高い位置に先端わさ部７２を掛けることができ、罠が作動しても取り逃がすといった捕獲の失敗をなくすことができる。
【００７４】
本発明者らの研究実験結果によると、先端わさ部下方移動規制手段６７を設けなかった場合の、動物の脚における罠が掛かった位置の平均地上高は１４．９ｃｍであったのが、先端わさ部下方移動規制手段６７を設けた場合には、罠が掛かった位置の平均地上高は１６．９ｍｍへと高くなるように改良されることが分かった。
【００７５】
（動物捕獲用罠のセット及び作動）
次に、図１、図２を参照して、本実施例の動物捕獲用罠１のセットの仕方（組立方法）について説明する。
【００７６】
動物捕獲用罠１は、図１、図２に示すように、先ず、上皿である踏み板組立体２の組立てが行なわれる。そのため、各ロープ掛けアーム５Ａ、５Ｂの連結部５２、５２が、それぞれ、踏み板基台部４０の長手方向両端のフランジ４２の上面に当接して載置されるまで、二つのロープ掛けアーム５Ａ、５Ｂをそれぞれ外方向（図２にてＡ方向）へと揺動して略水平状態とし、更に、図４（ａ）に示すように、互いに山形形状をなすように位置させる。
【００７７】
この状態にて、ロープ手段７０の捕獲用ワイヤーロープ７１の先端に設けられたリング部７４を利用して形成された先端わさ部７２が、互いに山形形状に配置されたロープ掛けアーム５Ａ、５Ｂの外周囲を巻回して、踏み板組立体２の外周囲に設置される。この時、ロープ先端わさ部７２は、ロープ掛けアーム５Ａ、５Ｂの周辺フランジ５３の上に位置し、且つ、二つのロープ掛けアーム５Ａ、５Ｂの連結部５２ではフランジ５３と規制板５４の間に位置するようにして設置される。
【００７８】
このような状態にて、踏み板組立体２の外周囲に先端わさ部７２を巻回する。次いで、ワイヤーロープ７１が貫通し、また、ワイヤーロープ張りばね７３の一部或いは全てが挿入されてワイヤーロープ張りばね７３の端部に係止した中空状の操作管７５ａを操作してワイヤーロープ張りばね７３を所定位置まで圧縮する。つまり、先端わさ部７２に隣接して設けられたワイヤーロープ張りばね７３が、図１に示すように、所定位置まで圧縮され、その状態にストッパ７５で固定される。従って、先端わさ部７２が、ワイヤーロープ張りばね７３の圧縮力により踏み板組立体２の外周囲に所定の巻き付け力（縮径力）にて取り付けられる。それにより、踏み板４に設置された両ロープ掛けアーム５Ａ、５Ｂは、図４（ａ）にて角度θが例えば１７０°〜１７９°となる山形形状の状態に維持される。
【００７９】
このように、本実施例によれば、踏み板組立体２は、各ロープ掛けアーム５Ａ、５Ｂのなす角度θが１８０°より小さくなるように、例えば１°〜１０°程度さらに回動した山形形状の状態にワイヤーロープ張りばね７３の圧縮力により付勢されて停止しているために、踏み板組立体２の外周囲から先端わさ部７２が上方へと移動して外れることはない。また、先端わさ部７２の下方或いは上方への移動は、ロープ掛けアーム５Ａ、５Ｂに設けたフランジ５３及び上述のようにロープ掛けアーム５Ａ、５Ｂの連結部５２の規制板５４により阻止される。
【００８０】
つまり、上述したように、ロープ掛けアーム５Ａ、５Ｂの外周に掛け回したロープ先端わさ部７２は、全体として、ロープ掛けアーム５Ａ、５Ｂの揺動支持軸５０の位置より下方に設置される。また、先端わさ部７２は、二つのロープ掛けアーム５Ａ、５Ｂの連結部５２においては、フランジ５３と規制板５４の間に位置するようにして設置され、また、連結部５２の規制板５４が僅かに外方へと曲げられていることにより、先端わさ部５２が上方から抜け出し難くなっている。そのため、ロープ掛けアーム５Ａ、５Ｂの外周に掛け回したロープ先端わさ部７２により、水平状態に配置されているロープ掛けアーム５Ａ、５Ｂが上方内方（図２にてＢ方向）へと揺動することはない。
【００８１】
図２に示すように、踏み板組立体２の外周囲にワイヤーロープ７１の先端わさ部７２を設置し、ワイヤーロープ張りばね７３が所定位置まで圧縮された踏み板組立体２は、図１に示すように、収納容器３内に収容され、受け台６０上に載置される。なお、図２に示すように、先端わさ部７２には、動物の脚を締め付け過ぎないように、所定の長さを有した金属管とされる締め付け防止金具７２ａをワイヤーロープ７１に取付けることができる。
【００８２】
このようにして収納容器３内に収容載置された踏み板組立体２は、収納容器３の長手方向への移動は、本実施例では、踏み板４の長手方向両端に設けた連結部５２の突起部５４などが側板３２ａ、３２ｂに係合することによっても長手方向への移動が阻止され、また、収納容器３の幅方向への移動は、踏み板フランジ４２の幅方向端面が、収納容器３の前、後側板３２ｃ、３２ｄの内面に突き当たることにより規制される。
【００８３】
上記捕獲用罠１の仕掛けの準備作業が終わると、捕獲用罠１を所定の場所に設置する。
【００８４】
ワイヤーロープ７１の他端は、当業者には周知の固定具７６（図１）を使用して、立木などに固定する。また、踏み板組立体２などには、カバー部材３７の動作を妨げない程度に、落ち葉や少量の土などをかけて隠す。
【００８５】
本発明の動物捕獲用罠１は、上述したように、全体形状が、図４にて、長さ（Ｌ３２）が１５ｃｍ〜３０ｃｍ（本実施例では２４ｃｍ）、幅（Ｗ３２）が１０ｃｍ〜２０ｃｍ程度（本実施例では１２ｃｍ）とされ、ほぼ大人の靴の大きさ程度、或いは、それ以下にまで小さくすることができ、また、厚さ（Ｈ）は、本実施例では、６ｃｍ程度まで薄くすることができる。本実施例ではＨ＝６ｃｍとした。従って、可搬性に優れていると共に、罠を仕掛けるに際して、落ち葉などで覆うことにより、必ずしも、収納容器３及び踏み板組立体２などを土中に埋める必要はなく、仕掛けのための作業が極めて容易である。また、仕掛ける場所の環境をほぼ現状のままに維持した状態で罠を設置することができる。
【００８６】
次に、図６を参照して、上述のように構成される本実施例の動物捕獲用罠１の作動について説明する。
【００８７】
図６（ａ）は、図１と同様に、本発明の動物捕獲用罠１を組立て、仕掛けた状態を示す。この状態にて、図６（ｂ）に示すように、動物の脚部Ｆが、踏み板４を踏むと、踏み板４が下方へと押し下げられ、動物の体重により体重調整手段６５のピン６５ａが折れ、踏み板４は収納容器３内へと落し込まれる。このとき、動物が踏み板４の中央部でなく偏った場所を踏み込んだ場合であっても、踏み板４の例えば４隅に設けた踏み板ぐら付き防止手段６６のピン６６ａにより、踏み板４はぐら付かずに下方に落下することができる。これにより、通常は両方のロープ掛けアーム５Ａ、５Ｂが同時に、場合によっては一方のロープ掛けアーム５Ａ又は５Ｂの方が他方より早く、支持軸５０の回りに回転を行い踏み板４に対して相対的に内方へと回転する。
【００８８】
もし、踏み板４を踏み込んだ動物がより小形のキツネ、タヌキなどの場合は、体重調整手段６５のピン６５ａが折れることはなく、従って、踏み板４は下方に落下することはなく、結果として捕獲用罠１は作動しない。
【００８９】
ワイヤーロープ先端わさ部７２には、ワイヤーロープ張りばね７３により常にその大きさが小さくなるように圧縮力が付勢されており、従って、ロープ掛けアーム５Ａ、５Ｂには、図６（ｃ）に示すように、ワイヤーロープ先端わさ部７２からロープ掛けアーム５Ａ、５Ｂが内方（矢印Ｂ方向）へと移動する力が加速度的に付加される。
【００９０】
これにより、ワイヤーロープ先端わさ部７２は、踏み板組立体２の上方へと移動し、ロープ掛けアーム５Ａ、５Ｂが、図２にて矢印Ｂの方へと回動すると、踏み板組立体２から上方へと抜け出る。ワイヤーロープ先端わさ部７２は、図６（ｄ）に示すように、ワイヤーロープ張りばね７３により絞り込まれ、踏み板４を踏んだ動物の脚部Ｆを瞬時に括り付ける。このとき、先端わさ部下方移動規制手段６７の突起ピン部材６７ａ（図４（ｂ）、図５（ｃ）参照）により、先端わさ部７２が踏み板４と共に下方へと引きずられて移動することはなく、先端わさ部７２は、ロープ掛けアーム５Ａ、５Ｂから直ちに解放され、その結果、動物の脚Ｆのより上部に巻き付けられる。従って、本発明の捕獲用罠１によれば、「空はじき」の発生が極めて少ない。
【００９１】
本実施例の上記構成とされる動物捕獲用罠１は、装置全体が小型であり、且つ、薄型とされ、罠を仕掛けるための設置作業が容易であり、狭い場所にも、現状を出来るだけ維持した状態で設置することができる。また、本実施例の動物捕獲用罠１は、可搬性に優れ、しかも、罠の操作が簡単であり、短時間にて罠設置作業が可能である。しかも、上述のように、「空はじき」の発生が極めて少ない。
【００９２】
本発明者らは、本発明に係る動物捕獲用罠の作用効果を立証するために、従来の構成の動物捕獲用罠との比較実験を行った。試験結果を下記表１に示す。
【００９３】
本発明に係る動物捕獲用罠としては、図１〜図５を参照して説明した上記実施例の構成の動物捕獲用罠を使用した。その構成の具体的寸法は下記の通りであった。
【００９４】
収納容器
使用材料：厚さ１ｍｍのアルミ材
左、右側板３２ａ、３２ｂ及び前、後側板３２ｃ、３２ｄの寸法：Ｈ３２＝６０ｍｍ、Ｌ３２＝２４０ｍｍ
前、後側板３２ｃ、３２ｄ間の内側寸法：Ｗ３２＝１３５ｍｍ
受け台６０の幅：Ｗ６０＝１２ｍｍ
【００９５】
受け台６０は、左、右側板３２ａ、３２ｂの上端面から距離（Ｈ６０）が２３ｍｍの位置に設置した。上皿である踏み板組立体２は、支持板部４１（４１Ａ、４１Ｂ）が側板３２ｃ、３２ｄから上方へと突出することはなかった（即ち、図４（ｂ）にて△Ｈ≒０）。
【００９６】
踏み板組立体
使用材料：踏み板４は１ｍｍ厚のアルミ材、ロープ掛けアーム５Ａ、５Ｂは２ｍｍ厚のアルミ材
踏み板基台部４０の寸法：Ｗ４０＝１２０ｍｍ、Ｌ４０＝２０５ｍｍ
支持軸５０の間隔及び基台部４０からの高さ：Ｌ５０＝６０ｍｍ、Ｈ５０＝１５ｍｍ
ロープ掛けアーム５Ａ、５Ｂの幅：略１０ｍｍ
両ロープ掛けアーム連結部５２、５２間の長手方向最大長さ：Ｌ２＝２３０ｍｍ
【００９７】
比較例としての動物捕獲用罠は、上記本発明と同じ構成の踏み板組立体２を使用した。ただ、上記本発明で使用した収納容器３の代わりに、図８を参照して説明した載置台１０３と同様の構成に変更した載置台を使用した。つまり、上記構成の収納容器３にて、左、右側板３２ａ、３２ｂは、前、後側板３２ｃ、３２ｄより２０ｍｍ低くし、また、前、後側板間の長さＬ３２は、両ロープ掛けアーム連結部５２、５２間の長手方向最大長さ（Ｌ２）より３０ｍｍ小さくした。つまり、比較例の動物捕獲用罠においては、図１０に示すように、踏み板組立体２は、両ロープ掛けアーム５Ａ、５Ｂが左、右側板３２ａ、３２ｂから長手方向に△Ｌが１５ｍｍへと突出しており、また、支持板部４１（４１Ａ、４１Ｂ）が前、後側板３２ｃ、３２ｄより上方へと△Ｈが３ｍｍ突出していた。
【００９８】
【表１】
0006656525.tif 000002
【００９９】
上記表１に示す試験結果より、本発明に係る動物捕獲用罠は、従来構成の捕獲用罠に比較すると、誤作動が少なく、捕獲成功率及び空はじき率において飛躍的に改良されていることが理解される。
【０１００】
実施例２
図７（ａ）、（ｂ）、（ｃ）に本発明の動物捕獲用罠１の他の実施例の全体構成を示す。本実施例において、動物捕獲用罠１は、実施例１と同様の構成とされるが、ただ、踏み板組立体２を収容する収納容器３が断面円形の円筒体とされ、それに従って、踏み板組立体２が、円筒体の収納容器３に収納可能となるように、全体形状が概略円形状とされる点で相違している。
【０１０１】
従って、以下には本実施例の捕獲用罠１の概略構成について説明し、実施例１と同じ構造及び機能をなす部材には、同じ参照番号を付し、実施例１の説明を援用し、詳しい説明は省略する。
【０１０２】
本実施例の動物捕獲用罠１にて、収納容器３は、円形状の底板３１と、底板３１から上方へと延在した横断面が円形状とされる上端が開口した円筒体である外周壁部材３２にて形成される。所望により、底板３１は、設けなくともよい。収納容器３の寸法は、通常、内径（Ｄ３２）が１５〜３０ｃｍ、高さ（Ｈ３２）が５〜７ｃｍとされる。
【０１０３】
円筒体収納容器３の内側には対向配置して、踏み板組立体２の両ロープ掛けアーム５Ａ、５Ｂを担持する受け台６０、６０が設けられる。また、収納容器３には、２つの受け台６０、６０の中間部において、受け台６０が設けられていない円筒体の領域に開口上端縁部３Ａから下方に向かって切欠いた切欠き部３４が形成されている。該切欠き部３４からは、ロープ掛けアーム２の外周囲に巻回されたワイヤーロープ手段７０の先端わさ部７２に連結されたワイヤーロープ７１及びワイヤー張りばね７３などが収納容器３から側方外方へと引き出される。
【０１０４】
本実施例にて、踏み板組立体２は、全体形状が概略円形状とされるが、実施例１で説明した概略矩形状とされる踏み板組立体２と同様の構造とされ、同じ機能を有している。
【０１０５】
つまり、本実施例にて、踏み板組立体２は、二つの脚部５１、５１と脚部５１の一端を連結する連結部５２とを有し略Ｕ字形状に形成されたロープ掛けアーム５Ａ、５Ｂが二つ対をなして配置されている。本実施例では、連結部５２は、二つの脚部５１、５１から湾曲形状をなして形成されているが、この湾曲状連結部５２が受け台６０に担持される。受け台６０は、湾曲状連結部５２を出来るだけ長い範囲で担持するように、本実施例では、受け台６０の最大幅Ｗ６０は、１０〜２０ｍｍとされる。ただ、これに限定されるものではない。なお、湾曲状連結部５２が実施例１の場合と同様に、受け台６０と線接触にて接触してより安定して担持されるように、受け台６０の連結部担持面を湾曲状連結部５２に沿って傾斜して形成するか、或いは、湾曲状連結部５２を受け台６０の担持面に沿うように傾斜させて形成することもできる。
【０１０６】
本実施例においても、対向配置された対をなすロープ掛けアーム５Ａ、５Ｂは、支持板部４１（４１Ａ、４１Ｂ）に各ロープ掛けアーム５Ａ、５Ｂの連結部５２とは反対側の脚部の他端を支持軸５０にて揺動自在に支持され、連結部５２が互いに離間する方向に揺動したとき支持軸５０が連結部５２より上方に位置した山形形状となるようにされる。ワイヤーロープ手段７０の先端わさ部７２が、山形形状に保持されたロープ掛けアーム５Ａ、５Ｂの外周囲に巻回され、先端わさ部７２にワイヤ張りばね７３にて縮径力が付与される。
【０１０７】
山形形状に保持された両ロープ掛けアーム５Ａ、５Ｂの各連結部５２、５２の外側の最大の長さ（Ｌ２）及び踏み板基台部４０の長手方向の最大長さ（Ｗ４０）は、円筒体外周壁部材３２の内径（Ｄ３２）より小さくされる。また、円筒体に設けられた両受け台６０、６０の内側間の長さ（Ｌ６０）は、踏み板基台部４０の受け台６０、６０方向、即ち、ロープ掛けアーム５Ａ、５Ｂの揺動方向の長さ（Ｌ４０）より大とされる。従って、捕獲動物が踏み板基台部４０を踏むことにより、踏み板基台部４０が収納容器３内にて下方に落下することができる。
【０１０８】
また、実施例１と同様に、踏み板基台部４０は規制部材４２を有しており、山形形状に設置された両ロープ掛けアーム５Ａ、５Ｂが更に回転するのを規制する。また、各ロープ掛けアーム５Ａ、５Ｂにはフランジ５３及び規制板５４が設けられており、両ロープ掛けアームの外周囲に巻き付けられたワイヤーロープ先端わさ部７２が上方へと抜け出るのを防止している。
【０１０９】
上述にて理解されるように、本実施例においても、踏み板組立体２が収納容器３内に載置されたとき、ワイヤーロープ手段７０が切欠き部３４から取り出される以外は、踏み板組立体２を構成する部材が収納容器３の開口上端縁部３Ａから上方外方へと、また、側方外方へと突出することはない。
【０１１０】
更に、本実施例においても、実施例１と同様に、円筒状外周部材３２の開口上端縁部３Ａには、少なくとも、切欠き部３４を形成した領域に対応する開口上端縁部を除いて、外方へと延在した鍔部材３５が一体に形成される。本実施例では、実施例１と同様に、受け台６０を形成した領域に対応する開口上端縁部にも鍔部材３５は形成されていない。
【０１１１】
また、切欠き部３４に対応する開口上端縁部には、実施例１と同様に、切欠き部３４を覆ってカバー部材３７が回動自在に設けられる。
【０１１２】
なお、受け台６０を形成した領域開口上端部３Ａは、鍔部材３５が形成された他の領域の高さと同じとすることができるが、収納容器３の受け台６０に載置された踏み板組立体２が、収納容器３の円筒状外周部材３２を跨いで載置されることなく、完全に収納容器３内に収容されることが確保されることが重要であり、従って、実施例１と同様に、受け台６０を形成した領域の円筒状外周部材３２の高さは、ロープ掛けアーム５Ａ、５Ｂの連結部５２の規制板５４の高さ以上に形成されればよい。
【０１１３】
更に、収納容器３に設置された踏み板組立体２の踏み板基台部４０の下面に近接配置して、シカ、イノシシなどの動物が踏み板基台部４０を押し込んだ場合にのみ踏み板４を下方へと落下させる体重調整手段６５を有する。体重調整手段６５は、好ましくは、踏み板基台部４０の左右対称配置にて設けられているフランジ４２部分に位置して設けられる。
【０１１４】
また、本実施例においても、収納容器３に設置された踏み板組立体２の踏み板基台部４０の上面に、且つ、ロープ掛けアーム５Ａ、５Ｂより下に近接配置して、踏み板基台部４０のぐら付きを防止する踏み板ぐら付き防止手段６６が設けられ、更に、収納容器３に設置された踏み板組立体２の両ロープ掛けアーム５Ａ、５Ｂの外周囲に巻き付けられたワイヤーロープ先端わさ部７２の下方に位置して、且つ、切欠き部３４の径方向対向位置においてワイヤーロープ先端わさ部７２の下方への移動を規制するための先端わさ部下方移動規制手段６７が設けられる。これら手段６６、６７も又、上記体重調整手段６５と同様に、好ましくは、踏み板基台部４０の左右対称配置にて設けられているフランジ４２部分に位置して設けられる。
【０１１５】
図７には、体重調整手段６５を構成するピン部材６５ａ、貫通孔６５ｂを、踏み板ぐら付き防止手段６６を構成するピン様部材６６ａ、貫通孔６６ｂを、及び、先端わさ部下方移動規制手段６７を構成する突起ピン部材６７ａを、図示しているが、これら各手段の構成及び機能は、実施例１の場合と同じとされるので、実施例１の説明を援用し、これ以上の詳しい説明は省略する。
【０１１６】
上記構成の本実施例の動物捕獲用罠１は、実施例１にて図６を参照して説明したと同様の作動をなす。
【０１１７】
つまり、実施例１と同様にして組立て仕掛けた本実施例の捕獲用罠１に、動物の脚部Ｆが踏み板４を踏むと、踏み板４が下方へと押し下げられ、収納容器３内へと落し込まれる。ワイヤーロープ先端わさ部７２には、ワイヤーロープ張りばね７３により常にその大きさが小さくなるように圧縮力が付勢されており、従って、ロープ掛けアーム５Ａ、５Ｂには、ワイヤーロープ先端わさ部７２からロープ掛けアーム５Ａ、５Ｂが内方（矢印Ｂ方向）へと移動する力が加速度的に付加される。
【０１１８】
これにより、ワイヤーロープ先端わさ部７２は、踏み板組立体２の上方へと移動し、ロープ掛けアーム５Ａ、５Ｂが矢印Ｂの方へと回動すると、踏み板組立体２から上方へと抜け出る。ワイヤーロープ先端わさ部７２は、ワイヤーロープ張りばね７３により絞り込まれ、踏み板４を踏んだ動物の脚部Ｌを瞬時に括り付ける。
【０１１９】
本実施例の動物捕獲用罠１も、実施例１と同様の作用効果を奏し得る。
【符号の説明】
【０１２０】
１                  動物捕獲用罠
２                  踏み板組立体
３                  収納容器
４                  踏み板
５（５Ａ、５Ｂ）    ロープ掛けアーム
３２                外周壁部材
３５                鍔部材
３７                カバー部材
４０                踏み板基台部
５０                支持軸
６０                受け台
６５                体重調整手段
６６                踏み板ぐら付き防止手段
６７                先端わさ部下方移動規制手段
７０                捕獲用ワイヤーロープ手段
７１                ワイヤーロープ
７２                ワイヤーロープ先端わさ部
７３                ワイヤーロープ張りばね
【図１】
0006656525.tif 000003
【図２】
0006656525.tif 000004
【図３】
0006656525.tif 000005
【図４】
0006656525.tif 000006
【図５】
0006656525.tif 000007
【図６】
0006656525.tif 000008
【図７】
0006656525.tif 000009
【図８】
0006656525.tif 000010
【図９】
0006656525.tif 000011
【図１０】
0006656525.tif 000012